(57)【特許請求の範囲】
【請求項１】
放送または、インターネットからの番組コンテンツを受信する受信手段と、
前記受信手段により受信した前記番組コンテンツを保存する保存手段と、
前記保存手段により保存済みの前記番組コンテンツの複製可能回数を管理する管理手段と、
受信中の前記番組コンテンツと保存済みの前記番組コンテンツとを比較する比較手段と、
前記比較手段により比較した結果、受信中の前記番組コンテンツと保存済みの前記番組コンテンツとが同一コンテンツと判断された場合に、前記管理手段にて管理されている前記複製可能回数を、一定の制限値を超えない範囲で更新する更新手段と、
を備えることを特徴とするコンテンツ保存装置。
【請求項２】
前記管理手段は、保存済みの前記番組コンテンツの固有識別情報を管理し、前記比較手段は、受信中の前記番組コンテンツの固有識別情報と保存済みの前記番組コンテンツの固有識別情報とを比較することを特徴とする請求項１記載のコンテンツ保存装置。
【請求項３】
前記管理手段は、保存済みの前記番組コンテンツの内容情報を管理し、前記比較手段は、受信中の前記番組コンテンツの内容情報と保存済みの前記番組コンテンツの内容情報とを比較することを特徴とする請求項１記載のコンテンツ保存装置。
【請求項４】
前記比較手段により比較した結果、受信中の前記番組コンテンツと保存済みの前記番組コンテンツとで同一部分があると判断された場合に、前記更新手段は、保存済みの前記番組コンテンツの前記同一部分の複製可能回数を、一定の制限値を超えない範囲で更新することを特徴とする請求項１から請求項３までのいずれか１項に記載のコンテンツ保存装置。
【請求項５】
前記保存手段の残り保存容量が第１の閾値以下になった場合に、前記更新手段を有効にすると判断する第１の判断手段をさらに備え、前記第１の判断手段により有効にすると判断されない場合に、前記管理手段は、受信したすべての前記番組コンテンツを新規の前記番組コンテンツとして管理することを特徴とする請求項１から請求項４までのいずれか１項に記載のコンテンツ保存装置。
【請求項６】
前記比較手段により前記同一コンテンツと判断された保存済みの前記番組コンテンツの前記管理手段にて管理されている前記複製可能回数が第２の閾値以下になった場合に、前記更新手段を無効にすると判断する第２の判断手段をさらに備え、前記第２の判断手段により無効にすると判断された場合に、前記管理手段は、受信したすべての前記番組コンテンツを新規の前記番組コンテンツとして管理することを特徴とする請求項１から請求項５までのいずれか１項に記載のコンテンツ保存装置。
【請求項７】
放送または、インターネットからの番組コンテンツを受信する受信ステップと、
前記受信ステップにより受信した前記番組コンテンツを保存する保存ステップと、
前記保存ステップにより保存済みの前記番組コンテンツの複製可能回数を管理する管理ステップと、
受信中の前記番組コンテンツと保存済みの前記番組コンテンツとを比較する比較ステップと、
前記比較ステップにより比較した結果、受信中の前記番組コンテンツと保存済みの前記番組コンテンツとが同一コンテンツと判断された場合に、前記管理ステップにて管理されている前記複製可能回数を、一定の制限値を超えない範囲で更新する更新ステップと、
を備えることを特徴とするコンテンツ保存装置の制御方法。
【請求項８】
前記管理ステップは、保存済みの前記番組コンテンツの固有識別情報を管理し、前記比較ステップは、受信中の前記番組コンテンツの固有識別情報と保存済みの前記番組コンテンツの固有識別情報とを比較することを特徴とする請求項７記載のコンテンツ保存装置の制御方法。
【請求項９】
前記管理ステップは、保存済みの前記番組コンテンツの内容情報を管理し、前記比較ステップは、受信中の前記番組コンテンツの内容情報と保存済みの前記番組コンテンツの内容情報とを比較することを特徴とする請求項７記載のコンテンツ保存装置の制御方法。
【請求項１０】
前記比較ステップにより比較した結果、受信中の前記番組コンテンツと保存済みの前記番組コンテンツとで同一部分があると判断された場合に、前記更新ステップは、保存済みの前記番組コンテンツの前記同一部分の複製可能回数を、一定の制限値を超えない範囲で更新することを特徴とする請求項７から請求項９までのいずれか１項に記載のコンテンツ保存装置の制御方法。
【請求項１１】
前記保存ステップの残り保存容量が第１の閾値以下になった場合に、前記更新ステップを有効にすると判断する第１の判断ステップをさらに備え、前記第１の判断ステップにより有効にすると判断されない場合に、前記管理ステップは、受信したすべての前記番組コンテンツを新規の前記番組コンテンツとして管理することを特徴とする請求項７から請求項１０までのいずれか１項に記載のコンテンツ保存装置の制御方法。
【請求項１２】
前記比較ステップにより前記同一コンテンツと判断された保存済みの前記番組コンテンツの前記管理ステップにて管理されている前記複製可能回数が第２の閾値以下になった場合に、前記更新ステップを無効にすると判断する第２の判断ステップをさらに備え、前記第２の判断ステップにより無効にすると判断された場合に、前記管理ステップは、受信したすべての前記番組コンテンツを新規の前記番組コンテンツとして管理することを特徴とする請求項７から請求項１１までのいずれか１項に記載のコンテンツ保存装置の制御方法。
【発明の詳細な説明】
【技術分野】
【０００１】
本発明は、デジタルテレビジョン放送等の受信機を用いて受信されるコンテンツの保存処理を実行するコンテンツ保存装置及びその制御方法に関するものである。
【背景技術】
【０００２】
近年、テレビジョン放送の録画機器（コンテンツ保存装置）は、以下のようにして、対象番組を録画実行する機能を有するものが提案されている（例えば、特許文献１参照）。
【０００３】
即ち、特許文献１に提案されたコンテンツ保存装置は、設定したキーワードや、録画（保存）予約、録画した番組の視聴、光ディスクへのダビング等の操作からユーザーの嗜好を学習する。そして、自動的にＥＰＧ（Electronic Program Guide）情報からユーザー嗜好に合致する番組（コンテンツ）を検出して録画実行する。
【０００４】
しかし、ユーザー嗜好に合致した番組をすべて録画してしまうと、再放送されている同一番組も再度録画してしまうため、ＨＤＤのような容量を圧迫するという課題があった。
【０００５】
そこで、放送される番組が再放送番組であるか否かを検出し、再放送番組と判断した場合は保存しないようにする機能を有する再放送番組検出装置が提案されている（例えば、特許文献２参照）。
【特許文献１】特開２００７−２９５５３８号公報
【特許文献２】特開２００７−２８１７５２号公報
【発明の開示】
【発明が解決しようとする課題】
【０００６】
近年、コンテンツビジネスを活性化する上で著作者の権利保護は必須とし、コンテンツの複製を制限することによりコンテンツ保護が図られている。例えば、一回のみ複製（コピー）を許可するコピーワンスや、１０回の複製を許可するダビング１０等が挙げられる。
【０００７】
上記特許文献２記載の再放送番組検出装置のように再放送番組を録画しない場合、既に録画済みの本放送番組のコピー可能な回数が残り０回であったとしても再放送番組が録画されないため、その番組を何回もコピーしたいユーザーにとっては利便性が悪かった。
【０００８】
一方、再放送番組をすべて保存するとその分コピー可能な回数は増えるが、保存装置の容量を圧迫するという課題は解決されない。
【０００９】
そこで、本発明の目的は、複製回数が制限されたコンテンツを保存する際に、保存容量を圧迫せずにコピー可能回数を増加させることができるコンテンツ保存装置及びその制御方法を提供することにある。
【課題を解決するための手段】
【００１０】
上記目的を達成するために、請求項１記載のコンテンツ保存装置は、放送または、インターネットからの番組コンテンツを受信する受信手段と、前記受信手段により受信した前記番組コンテンツを保存する保存手段と、前記保存手段により保存済みの前記番組コンテンツの複製可能回数を管理する管理手段と、受信中の前記番組コンテンツと保存済みの前記番組コンテンツとを比較する比較手段と、前記比較手段により比較した結果、受信中の前記番組コンテンツと保存済みの前記番組コンテンツとが同一コンテンツと判断された場合に、前記管理手段にて管理されている前記複製可能回数を、一定の制限値を超えない範囲で更新する更新手段と、を備えることを特徴とする。
【発明の効果】
【００１２】
本発明によれば、複製可能回数が制限されたコンテンツを保存する際に、保存容量を圧迫せずにコピー可能回数を増加させることが可能となり、ユーザーの利便性が向上する。
【発明を実施するための最良の形態】
【００１３】
以下、本発明の実施の形態を図面を参照しながら詳細に説明する。
【００１４】
（第１の実施の形態）
図１は、本発明の第１の実施の形態に係るコンテンツ保存装置の構成を示すブロック図である。
【００１５】
尚、ここではコンテンツの一例としてインターネット等のＩＰ（Internet Protocol）を利用した回線からの番組を用いるが、この例に限らず、衛星放送や、地上デジタル放送等の放送波で送信される番組でもよい。
【００１６】
図１において、コンテンツ保存装置１００は、ネットワーク１、受信部２、比較部３、保存部４、管理部５を備えている。
【００１７】
受信部２は、ネットワーク１から入力された任意の回線から、図示しないＩＰを利用したパケットを受信し、保存部４で保存されるデータ形式の番組であるＭＰＥＧ（Moving Picture Experts Group ）形式の ＴＳ（Transport Stream）を抽出する。
【００１８】
また、受信部２は、そのＴＳから管理部５で管理している複製回数等のコンテンツ保護情報を抽出する。抽出されたＴＳ、複製回数情報は、受信部２から比較部３に送られる。ここで、受信部２は、ＨＤＤ等の内部・外部を問わない補助記憶装置に保存されているＴＳを受信し、比較部３に伝送する機能を有するものでもよい。
【００１９】
受信部２は、放送または、インターネットからの配信コンテンツを受信する受信手段を構成する。保存部４は、受信部２により受信した配信コンテンツを保存する保存手段を構成する。管理部５は、保存部４により保存済みの配信コンテンツの複製回数を管理する管理手段を構成する。
【００２０】
比較部３は、受信中の前記配信コンテンツと保存済みの配信コンテンツとを比較する比較手段を構成する。また、比較部３は、比較の結果、同一コンテンツ（例えば、再放送の番組コンテンツ）と判断した場合に、管理部５にて管理されている複製回数を更新する更新手段を構成する。
【００２１】
管理部５は、保存済みの配信コンテンツの配信内容情報、固有識別情報、保存先情報等を管理する。
【００２２】
また、管理部５は、保存済みの配信コンテンツの保存先情報と、保存済みの配信コンテンツに続きがあるか否かを示す接続情報と、接続先の保存済みの配信コンテンツに関する接続先情報を管理する。そして、比較部３による比較の途中から同一コンテンツと判断された場合に、接続情報は「続きあり」とし、前記接続先情報は同一の保存済みの前記配信コンテンツを指定し、新規の管理を行う。
【００２３】
図２は、図１のコンテンツ保存装置によって実行されるコンテンツ保存処理の手順を示すフローチャートである。
【００２４】
図２において、受信部２は、受信されたＴＳを比較部３に送り、保存部４は、保存されているＴＳ（保存済みＴＳ）を比較部３に送る（ステップＳ２０１）。
【００２５】
比較部３は、受信部２から送られたＴＳと、保存部４から送られたＴＳとが同一データであるか否か比較する（ステップＳ２０２）。
【００２６】
ステップＳ２０２における比較の結果、両方のＴＳが同一であると判断された場合、管理部５で、該当する保存済みＴＳの複製回数を、受信部２から送られたＴＳの複製回数との合計値に更新する（ステップＳ２０３）。
【００２７】
ステップＳ２０２における比較の結果、両方のＴＳが同一ではないと判断された場合、保存部４に受信中のＴＳを送り、保存するとともに、管理部５に受信中のＴＳを送り、新規のＴＳとして追加、更新する（ステップＳ２０４）。
【００２８】
受信部２の受信終了を判断し（ステップＳ２０５）、受信部２から入力されるＴＳが無くなった時点で本処理を終了する。
【００２９】
保存部４は、比較部３から送られたＴＳを保存し、また比較部３からの要請に応じて保存済みＴＳを比較部３に送る機能を有する。
【００３０】
図３は、図１における管理部の管理テーブルを示す図である。
【００３１】
管理部５は、保存部４に保存されているＴＳのＴＳ名とそれに係る複製回数等を管理する管理テーブル３００を有する。例えば、ＴＳ名が「番組Ｂ」で、複製回数が１回（コピーワンス）に制限された放送が３回行われた場合（本放送が１回、再放送が２回行われた場合）、ＴＳ名が「番組Ｂ」の保存済みＴＳの複製回数は３回になる。
【００３２】
このように、本発明の第１の実施の形態によれば、受信したＴＳが保存済みＴＳと同一と判断されれば、該受信したＴＳを保存せずに、保存済みＴＳに係るコンテンツ保護のための複製回数を増加させる。これにより、保存部４の容量を圧迫せずに、複製可能回数を増加させることができる。従って、複製回数が制限されたコンテンツを保存する場合に、ユーザーの利便性を向上させることができる。
【００３３】
（第２の実施の形態）
図４は、本発明の第２の実施の形態に係るコンテンツ保存装置の構成を示すブロック図である。
【００３４】
尚、ここではコンテンツの一例として地上デジタル放送番組を用いる。
【００３５】
図４において、コンテンツ保存装置４００は、ネットワーク１、受信部４２、比較部４３、保存部４４、管理部４５、判断部４６を備えている。
【００３６】
受信部４２は、ネットワークから受信された放送の希望波のみ帯域制限し復調できる周波数に変換する周波数変換回路、変調された放送波をデータ列に変換する復調回路、データ列のデインターリーブやエラー訂正等を行う復号回路を含む。
【００３７】
受信部４２は、受信されたＴＳからさらに、管理部４５で管理しているＥＰＧ等の番組情報、複製回数、放送局から付与されたＴＳ固有のＩＤや電子すかし情報等のコンテンツ保護情報を抽出する。抽出されたコンテンツ保護情報は比較部４３に送られる。
【００３８】
図５は、図４における管理部の管理テーブルと、管理されるＴＳの概念図を示す図である。
【００３９】
（ａ）は管理テーブル５００を示し、（ｂ）は、番組Ａと番組ＢのＴＳの概念図を示し、（ｃ）は、番組Ａと番組ＣのＴＳの概念図を示す。
【００４０】
管理部４５を、図５の管理テーブル５００を用いて説明する。
【００４１】
管理部４５は、管理ＴＳ名とそれに係る複製回数、ＥＰＧ等の内容情報、放送局から付与されたＴＳ固有のＩＤもしくは電子透かし情報を管理する。また、管理部４５は、保存部４４に保存されているＴＳの保存先情報、管理されているＴＳの保存先のＴＳに関する開始時間と終了時間の接続先情報１，２、接続数を表す接続情報を管理する。接続先情報は接続情報数に応じていくつでも管理することができる。
【００４２】
判断部４６は、保存部４４の残り保存容量が閾値以下になった場合に、更新手段（比較部４３）を有効にするかどうかの判断を行う判断手段を構成する。そして、判断部４６により有効にしないと判断された場合は、管理部４５は、受信したすべての配信コンテンツを無条件に新規の配信コンテンツとして管理する。
【００４３】
また、判断部４６は、比較部４３により同一コンテンツと判断された保存済みの配信コンテンツの、管理部４５にて管理されている複製回数が閾値以下になった場合に、更新手段を有効にするかどうかの判断を行う判断手段を構成する。
【００４４】
そして、判断部４６により無効にすると判断された場合は、管理部４５は、受信したすべての配信コンテンツを無条件に新規の配信コンテンツとして管理する。
【００４５】
図６は、図４のコンテンツ保存装置によって実行されるコンテンツ保存処理の手順を示すフローチャートである。
【００４６】
図６において、受信部４２にてＴＳが受信されると、判断部４６は、保存部４４の残り容量と、判断部４６にて管理されている図８の閾値テーブル８００の閾値とを比較（判断）する（ステップＳ６０１）。
【００４７】
判断部４６は、受信部４２からＴＳが送られてくることに同期して、管理部４５にて管理されている複製回数、保存部４４の残り残量を抽出、複製回数、残り容量が図８の閾値テーブル８００の値に応じて比較部４３の動作を変更する機能を有する。
【００４８】
閾値テーブル８００はどこで管理されていてもよく、閾値は一定値でも、ユーザーによって任意に決められてもよい。
【００４９】
判断部４６の判断の結果、保存部４４の残量が閾値以上であれば、比較部４３は、通常の新規ＴＳとして保存する方法を取る（ステップＳ６０２）。これは、保存部４４の残量が大の場合、保存部４４の残量を気にすることなく保存できるため、比較部４３の動作を変更できる一例である。
【００５０】
また、ステップＳ６０１で保存部４４の残量が閾値より少ない場合、比較部４３の動作の初期設定を行う（ステップＳ６０３）。
【００５１】
ＴＳのステータスは３つの状態があり、ステータス=０は受信直後の状態、ステータス=１は直前のＴＳを比較した結果、同一ではないと判断された状態、ステータス=２は直前のＴＳを比較した結果、同一であると判断された状態を表す。
【００５２】
初期設定では、受信直後であるためステータス=０、管理されるＴＳの保存先が他のＴＳに接続されない接続情報=０が設定される。
【００５３】
続けて、受信部４２から、受信した比較対象のＴＳとその他の抽出された情報を比較部４３に送り、保存部４４から保存済みＴＳを比較部４３に送る（ステップＳ６０４）。保存部４４から送られる保存済みＴＳはすべてのＴＳでもよいし、受信中のＴＳと同一と推定されるＴＳだけ送ってもよい。
【００５４】
比較部４３にて、受信部４２から送られたＴＳと、保存部４４から送られたＴＳとの比較処理が行われる（ステップＳ７００）。比較単位は任意でよく、例えば、比較単位をパケット単位とすると、パケット比較終了後に受信が終了したかどうかの確認が行われ（ステップＳ６０５）、受信が終了するまで比較処理が繰り返される。
【００５５】
図７は、図６のステップＳ７００で実行される比較処理の手順を示すフローチャートである。
【００５６】
比較処理では、比較部４３に送られた比較対象の単位毎にＴＳが同一であるかどうか判断される（ステップＳ７０１）。同一であるかどうかの判断はＴＳデータの中身でもよいし、管理部４５で管理されている内容情報、特定できるＴＳ固有の情報の比較でもよい。
【００５７】
比較の結果、同一と判断されればステータスによって処理が変わる（ステップＳ７０５）。
【００５８】
ステータスが受信直後の０の場合、まず受信したＴＳを新規のＴＳとして管理する（ステップＳ７０６）。ステップＳ７０６を、前述した図５（ａ）に示した管理テーブル５００と図５（ｂ）に示した例を用いて説明する。
【００５９】
図５（ｂ）に示したように、受信中の番組ＢのＴＳは、保存済みＴＳの番組Ａと同一なので、ＴＳ名は新規に番組Ｂとする。また、保存先には同一の保存済みＴＳの番組Ａ、接続情報を初期値０からプラス１された１、接続先情報１は保存先に同一番組である番組Ａ、番組Ａと同一部分の開始時間、終了時間が追加され、管理される。さらに、直前のＴＳを比較した結果、同一であると判断された状態を表すステータス=２となる。
【００６０】
ステップＳ７０７で、合計された複製回数が閾値を超えていた場合、ステータス＝３にして、フローは比較処理を終えて、図６のステップＳ６０５に進む。そして、受信が終了しない限り比較処理は引き続き行われる。即ち、受信が終了しない限りステップＳ６０５からステップＳ６０４に戻り、受信部４２から新たに送られるＴＳの単位毎に再度ステップＳ７０１が実行される。
【００６１】
ここで、さらにＴＳが同一だと判断された場合、ステップＳ７０５にて繰り返しステータスに応じた動作が行われる。
【００６２】
前述した図５の管理テーブル５００の番組Ｂの場合、ステータス＝２のため、接続先情報を新たに受信したＴＳの時間分もしくはパケット分、終了時間を長くすることになる（ステップＳ７１０）。
【００６３】
番組Ｂは、図５（ｂ）に示したように、番組Ａと００:００:００から３０:００:００の３０分間同一であり、そのまま番組が終了した例である。この様子を管理テーブル５００に表す。即ち、番組Ａと同じ番組である部分は接続先情報１として管理され、受信したＴＳは新たに保存部４４に保存されない。
【００６４】
ちなみに、直前のＴＳを比較した結果同一ではないと判断された状態を表すステータス＝１であった場合、接続先情報を追加するステップＳ７０９へ進み比較処理が続けられる。
【００６５】
次に、ステップＳ７０１にて同一データではないと判断された場合について、動作を説明する。
【００６６】
ここでもステータスによって処理が変わる（ステップＳ７０２）。まず、受信直後である０である場合を考えると、ステップＳ７０６と同様に、受信したＴＳを新規のＴＳとして管理する（ステップＳ７０３）。
【００６７】
ステップＳ７０３を、前述した図５（ａ）に示した管理テーブル５００と図５（ｃ）に示した例を用いて説明する。
【００６８】
受信中の番組ＣのＴＳが保存済みＴＳのどれとも同一ではない。そのため、ＴＳ名は新規に番組Ｃとし、保存先には同じ番組Ｃ、接続情報を初期値０からプラス１された１、接続先情報１は保存先の番組Ｃと、開始時間に開始時間、終了時間にＴＳの受信時間が追加され管理される。
【００６９】
さらに、直前のＴＳを比較した結果、同一ではないと判断された状態を表すステータス=１となる。
【００７０】
フローは比較処理を終えて、図６のステップＳ６０５に進む。そして、受信が終了しない限り、比較処理は引き続き行われ、再度ステップＳ７０１が実行される。ここで、さらにＴＳが同一ではないと判断された場合、ステップＳ７０２にて繰り返しステータスに応じた動作が行われる。
【００７１】
前述した図５の管理テーブル５００の番組Ｃの場合、ステータス＝１のため、接続先情報を受信したＴＳの時間分、終了時間を長くすることになる（ステップＳ７１１）。
【００７２】
ちなみに、直前のＴＳを比較した結果、同一であると判断された状態を表すステータス＝２であった場合、接続先情報を追加するステップＳ７０４へ進み、比較処理が続けられる。
【００７３】
番組Ｃは、図５（ｃ）に示したように、新しい番組として３０分間受信され、その後、番組Ａの冒頭からの１５分間と同じデータを受信する。即ち、番組Ａと同じコンテンツである部分は接続先情報２として管理され、実際に保存部４４に保存されない。
【００７４】
すると、ステップＳ７０１で同一であると判断され、ステップＳ７０５のステータスに応じた動作切り替えが行われる。
【００７５】
受信が終了すると、比較処理の図７のフローチャートを抜けて図６のステップＳ６０５に進む。受信終了後、受信したＴＳの接続情報が１かどうか、ステータス＝２かどうか、複製回数が閾値以下かどうか、それぞれ判別する（ステップＳ６０６）。
【００７６】
すべてを満たす場合、つまり、新しく受信したＴＳは保存済みＴＳと始まりから終わりまでまったく同じＴＳであった場合、受信したＴＳと保存済みＴＳとを１つにまとめて管理する処理を行う。そして、複製回数を加算する処理を行い（ステップＳ６０７）、複製回数が複製回数制限以下である場合（ステップＳ６０８）、複製回数を制限値に変更する（ステップＳ６０９）。
【００７７】
このように、本発明の第２の実施の形態によれば、第１の実施の形態と同様の効果に加え、コンテンツのコピー可能回数が制限値を超えないように管理することが可能となり、コンテンツ保護の管理性を向上させることができる。
【図面の簡単な説明】
【００７８】
【図１】本発明の第１の実施の形態に係るコンテンツ保存装置の構成を示すブロック図である。
【図２】図１のコンテンツ保存装置によって実行されるコンテンツ保存処理の手順を示すフローチャートである。
【図３】図１における管理部の管理テーブルを示す図である。
【図４】本発明の第２の実施の形態に係るコンテンツ保存装置の構成を示すブロック図である。
【図５】図４における管理部の管理テーブルと、管理されるＴＳの概念図を示す図である。
【図６】図４のコンテンツ保存装置によって実行されるコンテンツ保存処理の手順を示すフローチャートである。
【図７】図６のステップＳ７００で実行される比較処理の手順を示すフローチャートである。
【図８】図４における判断部にて管理される閾値テーブルを示す図である。
【符号の説明】
【００７９】
１００  コンテンツ保存装置
１  ネットワーク
２  受信部
３  比較部
４  保存部
５  管理部
【図１】
0005058864.tif 000002
【図２】
0005058864.tif 000003
【図３】
0005058864.tif 000004
【図４】
0005058864.tif 000005
【図５】
0005058864.tif 000006
【図６】
0005058864.tif 000007
【図７】
0005058864.tif 000008
【図８】
0005058864.tif 000009